(57)【要約】      （修正有）【解決手段】駐車場の区画機器３１が、接近した利用者車両の車載機からＩＤを取得し利用者番号に変換後入庫要求に付け利用者管理サーバ１０に送信し、利用者管理サーバ１０が利用者の個人情報を利用者番号に対応付け利用者情報格納部１１に予め登録し入庫要求を受信し利用者番号対応の個人情報を付け要求を駐車場管理サーバ２０に転送し、駐車場管理サーバ２０が、区画の空満情報を利用者携帯端末７に提供し、区画の予約情報を取得し予約開始時刻と共に駐車場管理情報格納部２６に登録し、区画のロックを区画機器３１に指示し、入庫要求を受け前記個人情報での予約がされていればロック解除を指示する。【効果】利用者が携帯端末から予約した駐車場に入庫する際に、車載機からＩＤを読み取って利用者登録を確認するとともに入庫要求が転送されるので、利用者情報の漏洩を防止でき、入庫する際の操作を容易にできる。【選択図】図１
2008242555.tif 000002
【特許請求の範囲】
【請求項１】
利用者端末と利用者管理サーバと駐車場の予約を受け付ける駐車場管理サーバと前記駐車場の各区画に設置された区画機器とがネットワークに接続された駐車場予約システムであって、
前記区画機器が、車両の車載機からＩＤを取得して利用者番号に変換し、当該利用者番号を付した入庫要求を前記利用者管理サーバに送信する手段と、前記区画への入庫をロックする機構とを備え、
前記利用者管理サーバが、利用者の個人情報を、当該利用者の車載機のＩＤを変換した利用者番号と対応付けて利用者情報格納部に予め登録する手段と、前記区画機器から前記入庫要求を受信して当該入庫要求に付されている前記利用者番号に基づいて前記利用者情報格納部を検索し、当該利用者番号に対応する前記個人情報が登録されていれば、当該個人情報を前記入庫要求に付して前記駐車場管理サーバに転送する手段を有し、
前記駐車場管理サーバが、駐車場の区画の空満情報を前記利用者端末に送信し、利用者の個人情報を含む区画の予約情報を受信する手段と、前記予約情報に基づいて前記空満情報を更新し、前記予約情報と予約開始時刻とともに駐車場管理情報格納部に登録する手段と、予約された区画のロックを前記区画機器に指示する手段と、前記個人情報が付された前記入庫要求を受信し、当該個人情報に基づいて前記駐車場管理情報格納部を検索し、当該個人情報に対応する予約情報が登録されていれば、当該予約情報に対応する区画のロックの解除を指示する手段を有することを特徴とする駐車場予約システム。
【請求項２】
前記駐車場管理サーバが、前記登録された予約情報について駐車場の区画ＩＤと予約開始時刻を含め予約完了通知を前記利用者端末に返信する手段を有することを特徴とする請求項１記載の駐車場予約システム。
【請求項３】
前記ネットワークには利用者のクレジットカード利用の決済を行うクレジット会社管理サーバも接続され、
前記利用者管理サーバが、利用者の個人情報の他クレジットカード番号も登録し、前記駐車場管理サーバから料金情報と個人情報が付された決済処理依頼を受信し、前記個人情報により利用者情報格納部を検索し対応するクレジットカード番号を取得し、前記クレジットカード番号を付してクレジット会社管理サーバに決済依頼を送信し、決済処理結果を受信し前記駐車場管理サーバに送信する手段を有し、
前記区画機器のロックする機構を区画からの出庫もロックできる機構とし、
前記区画機器が、ロック解除状態で車両の入庫状態を検出するとロックする手段と、出庫要求を検出しこれを区画ＩＤと共に駐車場管理サーバに通知する手段を備え、
前記駐車場管理サーバが、前記出庫要求を受け駐車場管理情報格納部を参照し、要求された区画の予約開始時刻と終了時刻に基づき駐車料金を算出する手段と、料金情報と利用者の個人情報を付し決済依頼を前記利用者管理サーバに送信し、決済完了を受信するとロックの解除を指示する手段を有することを特徴とする請求項２記載の駐車場予約システム。
【請求項４】
前記駐車場管理サーバの前記予約を登録する手段が、予約区画が空きであれば、個人情報と登録確認依頼を利用者管理サーバに送信し、確認可を受信すると予約の登録を行う様にし、
前記駐車場管理サーバが、利用者端末の要求に応じ入力画面情報を送信し、区画ＩＤと個人情報を含むキャンセル情報を取得する手段と、駐車場管理情報格納部を参照し、前記区画に前記個人情報の利用者による予約が登録されていれば、その区画のロックの解除を区画機器に指示しその区画の空満情報を空きに更新する手段と、区画の予約開始時刻と終了時刻に基づき駐車料金を算出する手段と、料金情報と利用者の個人情報を付し決済依頼を前記利用者管理サーバに送信する手段とを有することを特徴とする請求項２記載の駐車場予約システム。
【請求項５】
前記車両の入庫状態を検出するとロックする手段が更に前記駐車場管理サーバに入庫通知する様にし、
前記駐車場管理サーバが、前記入庫通知を受けると区画を満で使用中状態とする手段と、区画の管理情報をスキャンし、状態が満で、かつ使用中でなく、予約開始時刻が現在時刻より一定時間以上前の時刻であればその区画の予約を自動解除し区画のロック解除を指示し区画の空満情報を空きに更新する手段と、予約の自動解除通知メールを利用者端末に送信する手段と、前記同様に駐車料金を算出し前記クレジット会社管理サーバに決済依頼を送信する手段を有することを特徴とする請求項３記載の駐車場予約システム。
【請求項６】
駐車場の区画の空満情報を利用者端末に送信し利用者の個人情報を含む区画の予約情報を受信する手段と、
前記予約情報に基づいて前記空満情報を更新し、前記予約情報と予約開始時刻とともに駐車場管理情報格納部に登録する手段と、
予約された区画のロックを駐車場の区画機器に指示する手段と、
利用者管理サーバから個人情報が付された入庫要求を受信し、当該個人情報に基づいて前記駐車場管理情報格納部を検索し、当該個人情報に対応する予約情報が登録されていれば、当該予約情報に対応する区画のロックの解除を指示する手段とを有することを特徴とする駐車場管理サーバ。
【請求項７】
前記登録された予約情報について駐車場の区画ＩＤと予約開始時刻を含め予約完了通知を利用者端末に返信する手段を有することを特徴とする請求項６記載の駐車場管理サーバ。
【請求項８】
出庫要求を受信し、駐車場管理情報格納部を参照し、前記要求で指定された区画の予約開始時刻と終了時刻に基づき駐車料金を算出し、料金情報と前記区画の利用者の個人情報を付しクレジットカードによる決済依頼を利用者管理サーバに送信し、決済完了を受信すると前記区画の区画機器にロックの解除を指示する手段を有することを特徴とする請求項６記載の駐車場管理サーバ。
【請求項９】
前記予約を登録する手段が、予約区画が空きであれば、個人情報の利用者登録確認の依頼を利用者管理サーバに送信し、確認を受信してから予約の登録を行う様にし、
前記利用者端末の要求に応じ入力画面情報を送信し、区画ＩＤと個人情報を含むキャンセル情報を取得する手段と、
前記駐車場管理情報格納部を参照し、前記区画に前記個人情報の利用者による予約が登録されていれば、その区画のロックの解除を前記区画機器に指示しその区画の空満情報を空きに更新する手段と、
前記区画の予約開始時刻と終了時刻に基づき駐車料金を算出し、料金情報と利用者の個人情報を付しクレジットカードによる決済依頼を利用者管理サーバに送信する手段を有することを特徴とする請求項７記載の駐車場管理サーバ。
【請求項１０】
前記区画機器より車両の入庫通知を受信すると区画管理情報の状態情報を満で使用中状態とする手段と、
区画管理情報をスキャンし、状態情報が満で、かつ使用中でなく、予約開始時刻が現在時刻より一定時間以上前の時刻であればその区画の予約を自動解除し区画のロック解除を指示し、区画の状態を空きに更新する手段と、
予約の自動解除通知メールを利用者端末に送信し、前記区画の予約開始時刻と終了時刻に基づき駐車料金を算出し、料金情報と利用者の個人情報を付しクレジットカードによる決済依頼を利用者管理サーバに送信する手段を有することを特徴とする請求項８記載の駐車場管理サーバ。
【請求項１１】
駐車場の区画の空満情報を利用者端末に送信し、利用者の個人情報を含む区画の予約情報を受信する手順と、
前記予約情報に基づいて前記空満情報を更新し、前記予約情報と予約開始時刻とともに駐車場管理情報格納部に登録する手順と、
予約された区画のロックを駐車場の区画機器に指示する手順と、
利用者管理サーバから個人情報が付された入庫要求を受信し、前記駐車場管理情報格納部を検索し当該個人情報に対応する予約情報が登録されていれば、当該予約情報に対応する区画のロックの解除を指示する手順とを、
コンピュータに実行させるためのプログラム。
【請求項１２】
請求項１１に記載のプログラムであって、
前記登録した予約情報について、予約情報の駐車場の区画ＩＤと予約開始時刻を含め予約完了通知を利用者端末に返信する手順をコンピュータに実行させるためのプログラム。
【請求項１３】
請求項１１に記載のプログラムであって、
出庫要求を受信し、前記駐車場管理情報格納部を参照し、前記要求で指定された区画の予約開始時刻と終了時刻に基づき駐車料金を算出する手順と、
料金情報と前記区画の利用者の個人情報を付しクレジットカードによる決済依頼を利用者管理サーバに送信し、決済完了を受信すると前記区画の区画機器にロックの解除を指示する手順とを、
コンピュータに実行させるためのプログラム。
【請求項１４】
請求項１２に記載のプログラムであって、
前記予約を登録する手順を、予約区画が空きであれば、個人情報の利用者登録確認の依頼を利用者管理サーバに送信し、確認を受信してから予約の登録を行う手順とし、
前記利用者端末の要求に応じ入力画面情報を送信し、区画ＩＤと個人情報を含むキャンセル情報を取得する手順と、
前記駐車場管理情報格納部を参照し、前記区画に前記個人情報の利用者による予約が登録されていれば、その区画のロック解除を前記区画機器に指示しその区画の空満情報を空きに更新する手順と、
前記区画の予約開始時刻と終了時刻に基づき駐車料金を算出し、料金情報と利用者の個人情報を付しクレジットカードによる決済依頼を利用者管理サーバに送信する手順とを、
コンピュータに実行させるためのプログラム。
【請求項１５】
請求項１３に記載のプログラムであって、前記区画機器より車両の入庫通知を受けると区画管理情報の状態情報を満で使用中状態とする手順と、
区画管理情報をスキャンし、状態情報が満で、かつ使用中でなく、予約開始時刻が現在時刻より一定時間以上前の時刻であればその区画の予約を自動解除し区画のロック解除を指示し、区画の状態情報を空きに更新する手順と、
予約の自動解除通知メールを前記利用者端末に送信し、前記区画の予約開始時刻と終了時刻に基づき駐車料金を算出し、料金情報と利用者の個人情報を付しクレジットカードによる決済依頼を利用者管理サーバに送信する手順とを、
コンピュータに実行させるためのプログラム。
【請求項１６】
利用者端末と利用者管理サーバと駐車場管理サーバと利用者のクレジットカード利用の決済を行うクレジット会社管理サーバと前記駐車場の各区画に設置された区画機器がネットワークに接続されたシステムにおける駐車場予約方法であって、
前記区画機器が、車両の車載機からＩＤを取得し利用者番号に変換し、当該利用者番号を付した入庫要求を前記利用者管理サーバに送信する手順と、前記区画への入庫をロックする手順を有し、
前記利用者管理サーバが、利用者の個人情報とクレジットカード番号を、当該利用者の車載機のＩＤを変換した利用者番号と対応付け利用者情報格納部に予め登録する手順と、前記区画機器から入庫要求を受信し、当該入庫要求に付されている前記利用者番号に基づいて前記利用者情報格納部を検索し、当該利用者番号に対応する前記個人情報が登録されていれば、当該個人情報を前記入庫要求に付して前記駐車場管理サーバに転送する手順と、前記駐車場管理サーバから料金情報と個人情報が付された決済処理依頼を受信し、前記個人情報により利用者情報格納部を検索し対応するクレジットカード番号を取得し、前記クレジットカード番号を付してクレジット会社管理サーバに決済依頼を送信し、決済処理結果を受信し前記駐車場管理サーバに送信する手順を有し、
前記駐車場管理サーバが、駐車場の区画の空満情報を前記利用者端末に送信し、利用者の個人情報を含む区画の予約情報を受信する手順と、前記予約情報に基づいて前記空満情報を更新し、前記予約情報と予約開始時刻とともに駐車場管理情報格納部に登録する手順と、予約された区画のロックを前記区画機器に指示する手順と、前記個人情報が付された前記入庫要求を受信し、当該個人情報に基づいて前記駐車場管理情報格納部を検索し、当該個人情報に対応する予約情報が登録されていれば、当該予約情報に対応する区画のロックの解除を指示する手順と、
前記出庫要求を受け駐車場管理情報格納部を参照し、要求された区画の予約開始時刻と終了時刻に基づき駐車料金を算出する手順と、
料金情報と利用者の個人情報を付し決済依頼を前記利用者管理サーバに送信し、決済完了を受信するとロックの解除を指示する手順を有することを特徴とする駐車場予約方法。
【請求項１７】
利用者端末と利用者管理サーバと駐車場の予約を受け付ける駐車場管理サーバと前記駐車場に設置された駐車場機器とがネットワークに接続された駐車場予約システムであって、
前記駐車場機器が、駐車場入口のゲートと前記入口に接近した車両の車載機からＩＤを取得し利用者番号に変換し、当該利用者番号を付した入場要求を前記利用者管理サーバに送信する手段を有し、
前記利用者管理サーバが、利用者の個人情報を、当該利用者の車載機のＩＤを変換した利用者番号に対応付けて利用者情報格納部に予め登録する手段と、前記駐車場機器から要求を受信し前記要求に付されている利用者番号に基づいて、前記利用者情報格納部を検索しし、当該利用者番号に対応する前記個人情報が登録されていれば、当該個人情報を前記要求に付して前記駐車場管理サーバに転送する手段を有し、
前記駐車場管理サーバが、駐車場の空き状況情報を前記利用者端末に送信し、利用者の個人情報を含む駐車場の予約情報を受信する手段と、前記予約情報に基づいて前記空き状況情報を更新し、前記予約情報と予約開始時刻とともに前記駐車場管理情報格納部に登録する手段と、前記個人情報が付された入場要求を受信し、当該個人情報に基づいて前記駐車場管理情報格納部を検索し、前記個人情報に対応する予約情報が登録されていれば、当該予約情報に対応する駐車場の入口ゲートの開放を前記駐車場機器に指示する手段を有することを特徴とする駐車場予約システム。
【請求項１８】
前記駐車場管理サーバが、前記予約を登録すると、予約された駐車場と予約開始時刻を含め予約完了通知を利用者端末に返信する手段を有することを特徴とする請求項１７記載の駐車場予約システム。
【請求項１９】
前記ネットワークには利用者のクレジットカード利用の決済を行うクレジット会社管理サーバも接続され、
前記利用者管理サーバが、さらにクレジットカード番号も登録し、
前記駐車場機器が、駐車場出口のゲートと前記出口に接近した車両の車載機のＩＤを取得して利用者番号に変換し、当該利用者番号を付した出場要求を前記利用者管理サーバに送信する手段と、
前記駐車場管理サーバが、前記個人情報が付された出場要求を受信し、当該個人情報で駐車場管理情報格納部を検索し、対応する予約情報を取得し当該予約情報中の予約開始時刻と終了時刻に基づき駐車料金を算出する手段と、料金情報と利用者の個人情報を付し決済依頼を前記利用者管理サーバに送信し、決済完了を受信すると、出場要求に対応する駐車場機器に出口ゲートの開放を指示する手段を有することを特徴とする請求項１７記載の駐車場予約システム。
【請求項２０】
前記駐車場管理サーバの前記予約を登録する手段が、予約対象の駐車場が空きであれば、個人情報と登録確認依頼を利用者管理サーバに送信し、確認可を受信すると予約の登録を行う様にし、
前記駐車場管理サーバが、利用者端末の要求に応じ入力画面情報を送信し、駐車場ＩＤと個人情報を含むキャンセル情報を受信する手段と、駐車場管理情報格納部を参照し、前記駐車場に前記個人情報の利用者による予約が登録されていれば、その予約情報をリセットし、その駐車場の空き状況情報を更新する手段と、前記予約情報の予約開始時刻と終了時刻に基づき駐車料金を算出し、料金情報と利用者の個人情報を付し決済依頼を前記利用者管理サーバに送信する手段とを有することを特徴とする請求項１８記載の駐車場予約システム。
【請求項２１】
前記駐車場管理サーバの予約を登録する手段が登録した予約情報の状態を予約済みとし、前記入口ゲートの開放を指示する手段が前記駐車場管理情報格納部の前記要求の個人情報を含む予約情報の状態を使用中にする様にし、
前記駐車場管理サーバが、駐車場の予約情報をスキャンし、状態が予約済みで予約開始時刻が現在時刻より一定時間以上前の時刻であればその予約を自動解除し駐車場の空き状況情報を更新する手段と、予約の自動解除通知メールを前記利用者端末に送信する手段と、駐車場の予約開始時刻と終了時刻に基づき駐車料金を算出し、料金情報と利用者の個人情報を付し決済依頼を前記利用者管理サーバに送信する手段とを有することを特徴とする請求項１９記載の駐車場予約システム。
【請求項２２】
駐車場の空き状況情報をネットワークを通じ利用者端末に送信し個人情報を含む駐車場の予約情報を受信する手段と、
前記予約情報に基づいて前記空き状況情報を更新し、前記予約情報と予約開始時刻とともに駐車場管理情報格納部に登録する手段と、
利用者管理サーバより個人情報が付された入場要求を受信し、前記個人情報で前記駐車場管理情報格納部を検索し、前記個人情報に対応する予約情報が登録されていれば、当該予約情報に対応する駐車場の入口ゲートの開放を前記駐車場機器に指示する手段とを有することを特徴とする駐車場管理サーバ。
【請求項２３】
前記予約を登録すると、予約された駐車場と予約開始時刻を含め予約完了通知を利用者端末に返信する手段を有することを特徴とする請求項２２記載の駐車場管理サーバ。
【請求項２４】
利用者管理サーバより個人情報が付された出場要求を受け、当該個人情報で駐車場管理情報格納部を検索し、前記個人情報に対応する予約情報を取得し当該予約情報中の予約開始時刻と終了時刻に基づき駐車料金を算出する手段と、料金情報と利用者の個人情報を付し決済依頼を前記利用者管理サーバに送信し、決済完了を受信すると駐車場の出口ゲートの開放を前記駐車場機器に指示する手段を有することを特徴とする請求項２２記載の駐車場管理サーバ。
【請求項２５】
前記予約を登録する手段が、予約対象の駐車場が空きであれば、個人情報の登録確認依頼を前記利用者管理サーバに送信し、確認応答を受信し予約の登録を行う様にし、
前記利用者端末の要求に応じ入力画面情報を送信し、駐車場ＩＤと個人情報を含むキャンセル情報を受信する手段と、
前記駐車場管理情報格納部を参照し、前記駐車場に前記個人情報の利用者による予約が登録されていれば、その予約情報をリセットし、その駐車場の空き状況情報を更新する手段と、
予約情報の予約開始時刻と終了時刻に基づき駐車料金を算出し、料金情報と利用者の個人情報を付しクレジットカードによる決済依頼を前記利用者管理サーバに送信する手段とを有することを特徴とする請求項２３記載の駐車場管理サーバ。
【請求項２６】
前記予約を受け付け登録する手段が登録した予約情報の状態を予約済みとし、前記入口ゲートの開放を指示する手段が前記駐車場管理情報格納部の前記入場要求の個人情報を含む予約情報の状態を使用中にする様にし、
駐車場の予約情報をスキャンし、状態が予約済みで予約開始時刻が現在時刻より一定時間以上前の時刻であればその予約情報を自動解除し駐車場の空き状況情報を更新する手段と、予約の自動解除通知メールを利用者端末に送信し、前記予約情報の予約開始時刻と終了時刻に基づき駐車料金を算出し、料金情報と利用者の個人情報を付しクレジットカードによる決済依頼を前記利用者管理サーバに送信する手段とを有することを特徴とする請求項２４記載の駐車場管理サーバ。
【請求項２７】
駐車場の空き状況情報をネットワークを通じ利用者端末に送信し個人情報を含む駐車場の予約情報を受信する手順と、
前記予約情報に基づいて前記空き状況情報を更新し、前記予約情報と予約開始時刻とともに接続された駐車場管理情報格納部に登録する手順と、
利用者管理サーバより個人情報が付された入場要求を受信し、前記個人情報で前記駐車場管理情報格納部を検索し、前記個人情報に対応する予約情報が登録されていれば、当該予約情報に対応する駐車場の入口ゲートの開放を前記駐車場機器に指示する手順とを、コンピュータに実行させるためのプログラム。
【請求項２８】
請求項２７に記載のプログラムであって、
前記予約情報を登録すると、予約された駐車場と予約開始時刻を含め予約完了通知を利用者端末に返信する手順をコンピュータに実行させるためのプログラム。
【請求項２９】
請求項２７に記載のプログラムであって、
前記利用者管理サーバより個人情報が付された出場要求を受け、当該個人情報で駐車場管理情報格納部を検索し、前記個人情報に対応する予約情報を取得し当該予約情報中の予約開始時刻と終了時刻に基づき駐車料金を算出する手順と、
料金情報と利用者の個人情報を付しクレジットカードによる決済依頼を前記利用者管理サーバに送信し、決済完了を受信すると駐車場の出口ゲートの開放を前記駐車場機器に指示する手順とを、
コンピュータに実行させるためのプログラム。
【請求項３０】
請求項２８に記載のプログラムであって、
前記予約を登録する手順を、予約対象の駐車場が空きであれば、個人情報の登録確認依頼を利用者管理サーバに送信し、確認応答を受信すると予約の登録を行う手順とし、
前記利用者端末の要求に応じ入力画面情報を送信し、駐車場ＩＤと個人情報を含むキャンセル情報を受信する手順と、
前記駐車場管理情報格納部を参照し、前記ＩＤの駐車場に前記個人情報の利用者による予約情報が登録されていれば、その予約情報をリセットし、その駐車場の空き状況情報を更新する手順と、
前記予約情報中の予約開始時刻と終了時刻に基づき駐車料金を算出し、料金情報と利用者の個人情報を付しクレジットカードによる決済依頼を前記利用者管理サーバに送信する手順とを、
コンピュータに実行させるためのプログラム。
【請求項３１】
請求項２９に記載のプログラムであって、
前記予約を登録する手順を、更に登録した予約情報の状態を予約済みとする手順とし、
前記入口ゲートの開放を指示する手順を、更に前記駐車場管理情報格納部の前記要求の個人情報を含む予約情報の状態を使用中にする手順とし、
駐車場の予約情報をスキャンし、状態が予約済みで予約開始時刻が現在時刻より一定時間以上前の時刻であればその予約を自動解除し駐車場の空き状況情報を更新する手順と、予約の自動解除通知メールを利用者端末に送信し、前記予約情報中の予約開始時刻と終了時刻に基づき駐車料金を算出し、料金情報と利用者の個人情報を付しクレジットカードによる決済依頼を前記利用者管理サーバに送信する手順とを、
コンピュータに実行させるためのプログラム。
【請求項３２】
利用者端末と利用者管理サーバと駐車場管理サーバと利用者のクレジットカード利用の決済を行うクレジット会社管理サーバと前記駐車場に設置された駐車場機器がネットワークに接続されたシステムにおける駐車場予約方法であって、
前記駐車場機器が、駐車場入口に接近した車両の車載機からＩＤを取得し利用者番号に変換し、前記利用者番号を入場要求に付して前記利用者管理サーバに送信する手順と、駐車場出口に接近した車両の車載機からＩＤを取得し利用者番号に変換し出場要求に付して前記利用者管理サーバに送信する手順を有し、
前記利用者管理サーバが、利用者の個人情報とクレジットカード番号を、当該利用者の車載機のＩＤを変換した利用者番号に対応付けて利用者情報格納部に予め登録する手順と、前記駐車場機器から要求を受信し前記要求に付されている利用者番号に基づいて、前記利用者情報格納部を検索し、当該利用者番号に対応する前記個人情報が登録されていれば、当該個人情報を前記要求に付して前記駐車場管理サーバに転送する手順と、前記駐車場管理サーバから料金情報と個人情報が付された決済処理依頼を受信し、前記個人情報により利用者情報格納部を検索し対応するクレジットカード番号を取得し、前記クレジットカード番号を付して前記クレジット会社管理サーバに決済依頼を送信し、決済処理結果を受信し前記駐車場管理サーバに送信する手順を有し、
前記駐車場管理サーバが、駐車場の空き状況情報を前記利用者端末に送信し、利用者の個人情報を含む駐車場の予約情報を受信する手順と、
前記予約情報に基づいて前記空き状況情報を更新し、前記予約情報と予約開始時刻とともに前記駐車場管理情報格納部に登録する手順と、
前記個人情報が付された入場要求を受信し、当該個人情報に基づいて前記駐車場管理情報格納部を検索し、前記個人情報に対応する予約情報が登録されていれば、当該予約情報に対応する駐車場の入口ゲートの開放を前記駐車場機器に指示する手順と、
前記個人情報が付された出場要求を受信し、当該個人情報に基づいて前記駐車場管理情報格納部を検索し、対応する予約情報を取得し当該予約情報中の予約開始時刻と終了時刻に基づき駐車料金を算出する手順と、
料金情報と利用者の個人情報を付し決済依頼を前記利用者管理サーバに送信し、決済完了を受信すると、出場要求に対応する駐車場機器に出口ゲートの開放を指示する手順とを有することを特徴とする駐車場予約方法。
【発明の詳細な説明】
【技術分野】
【０００１】
本発明は駐車場予約システム、駐車場予約方法、駐車場管理サーバ、及びプログラムに関し、特に、インターネット等のネットワークを利用した駐車場予約システム、駐車場予約方法、駐車場管理サーバ、及びプログラムに関する。
【背景技術】
【０００２】
車両を運転して外出し、目的地で所用を済ませるには目的地での駐車場を確保しておく必要がある。そのため利用者が目的地に向かう前やその途上でコンピュータまたは携帯端末で目的地近辺の駐車場のホームページにアクセスし、表示された駐車スペースの空満情報にて空きを確認して駐車場に向かったとしても、駐車場到着までの間に満車となり駐車できない場合がある。
【０００３】
この様な事情に鑑み、携帯端末からのアクセスに応じて車両の現在地を検索条件として取得して駐車場統合管理システムに問い合わせ、複数の駐車場の中から空き駐車場を検索して予約すべき駐車場を決定し、駐車場統合管理システムに通知する駐車場予約装置が開示されている（特許文献１参照）。
【０００４】
この駐車場予約装置においては、駐車場統合管理システムが空き状況監視装置に予約した駐車スペースをロックさせておき、利用者が携帯端末から駐車場予約装置にアクセスして駐車場利用に関する認証を得ると、駐車場統合管理システムが空き状況監視装置に予約した駐車スペースのロックを解除させるとともに、車両の出庫時に駐車場に備え付けの精算機で駐車料金を精算している。
【０００５】
【特許文献１】特開２００４−２９５８０４号公報（１ページ、［００７２］〜［００７６］）
【発明の開示】
【発明が解決しようとする課題】
【０００６】
上述した駐車場予約装置では、利用者が予約をしたにも拘わらず、実際に駐車する際に携帯端末を用い駐車場予約装置にアクセスし、駐車場利用に関する認証を得る操作（ログイン時の利用者ＩＤ及びパスワードの入力操作、予約済み情報の検索操作、利用開始指示操作）が必要で利用者の手間が掛かるという課題がある。
【０００７】
また、出庫する際に駐車場に備え付けの精算機に対して駐車料金の精算を行う必要があるという課題がある。
【０００８】
また、利用者本人を認証する際に入力される利用者ＩＤ及びパスワードが盗まれる可能性があるという課題がある。
【０００９】
また、予約をキャンセルする手段や予約がタイムアウトした場合に予約を自動的に解約する手段が開示されていないので、利用者にとって利便性に欠けるという課題がある。
【００１０】
本発明の目的は、上述した課題を解決する駐車場予約システム、駐車場予約方法、駐車場管理サーバ、及びプログラムを提供することにある。
【課題を解決するための手段】
【００１１】
本発明の第１の駐車場予約システムは、利用者端末と利用者管理サーバと駐車場の予約を受け付ける駐車場管理サーバと前記駐車場の各区画に設置された区画機器とがネットワークに接続された駐車場予約システムであって、  前記区画機器が、車両の車載機からＩＤを取得して利用者番号に変換し、当該利用者番号を付した入庫要求を前記利用者管理サーバに送信する手段と、前記区画への入庫をロックする機構とを備え、  前記利用者管理サーバが、利用者の個人情報を、当該利用者の車載機のＩＤを変換した利用者番号と対応付けて利用者情報格納部に予め登録する手段と、前記区画機器から前記入庫要求を受信して当該入庫要求に付されている前記利用者番号に基づいて前記利用者情報格納部を検索し、当該利用者番号に対応する前記個人情報が登録されていれば、当該個人情報を前記入庫要求に付して前記駐車場管理サーバに転送する手段を有し、  前記駐車場管理サーバが、駐車場の区画の空満情報を前記利用者端末に送信し、利用者の個人情報を含む区画の予約情報を受信する手段と、前記予約情報に基づいて前記空満情報を更新し、前記予約情報と予約開始時刻とともに駐車場管理情報格納部に登録する手段と、予約された区画のロックを前記区画機器に指示する手段と、前記個人情報が付された前記入庫要求を受信し、当該個人情報に基づいて前記駐車場管理情報格納部を検索し、当該個人情報に対応する予約情報が登録されていれば、当該予約情報に対応する区画のロックの解除を指示する手段を有する。
【００１２】
本発明の第２の駐車場予約システムは、前記第１の駐車場予約システムであって、前記駐車場管理サーバが、前記登録された予約情報について駐車場の区画ＩＤと予約開始時刻を含め予約完了通知を前記利用者端末に返信する手段を有する。
【００１３】
本発明の第３の駐車場予約システムは、前記第２の駐車場予約システムであって、前記ネットワークには利用者のクレジットカード利用の決済を行うクレジット会社管理サーバも接続され、前記利用者管理サーバが、利用者の個人情報の他クレジットカード番号も登録し、前記駐車場管理サーバから料金情報と個人情報が付された決済処理依頼を受信し、前記個人情報により利用者情報格納部を検索し対応するクレジットカード番号を取得し、前記クレジットカード番号を付してクレジット会社管理サーバに決済依頼を送信し、決済処理結果を受信し前記駐車場管理サーバに送信する手段を有し、前記区画機器のロックする機構を区画からの出庫もロックできる機構とし、前記区画機器が、ロック解除状態で車両の入庫状態を検出するとロックする手段と、出庫要求を検出しこれを区画ＩＤと共に駐車場管理サーバに通知する手段を備え、前記駐車場管理サーバが、前記出庫要求を受け駐車場管理情報格納部を参照し、要求された区画の予約開始時刻と終了時刻に基づき駐車料金を算出する手段と、料金情報と利用者の個人情報を付し決済依頼を前記利用者管理サーバに送信し、決済完了を受信するとロックの解除を指示する手段を有する。
【００１４】
本発明の第４の駐車場予約システムは、前記第２の駐車場予約システムであって、前記駐車場管理サーバの前記予約を登録する手段が、予約区画が空きであれば、個人情報と登録確認依頼を利用者管理サーバに送信し、確認可を受信すると予約の登録を行う様にし、前記駐車場管理サーバが、利用者端末の要求に応じ入力画面情報を送信し、区画ＩＤと個人情報を含むキャンセル情報を取得する手段と、駐車場管理情報格納部を参照し、前記区画に前記個人情報の利用者による予約が登録されていれば、その区画のロックの解除を区画機器に指示しその区画の空満情報を空きに更新する手段と、区画の予約開始時刻と終了時刻に基づき駐車料金を算出する手段と、料金情報と利用者の個人情報を付し決済依頼を前記利用者管理サーバに送信する手段とを有する。
【００１５】
本発明の第５の駐車場予約システムは、前記第３の駐車場予約システムであって、前記車両の入庫状態を検出するとロックする手段が更に前記駐車場管理サーバに入庫通知する様にし、前記駐車場管理サーバが、前記入庫通知を受けると区画を満で使用中状態とする手段と、区画の管理情報をスキャンし、状態が満で、かつ使用中でなく、予約開始時刻が現在時刻より一定時間以上前の時刻であればその区画の予約を自動解除し区画のロック解除を指示し区画の空満情報を空きに更新する手段と、予約の自動解除通知メールを利用者端末に送信する手段と、前記同様に駐車料金を算出し前記クレジット会社管理サーバに決済依頼を送信する手段を有する。
【００１６】
本発明の第１の駐車場管理サーバは、駐車場の区画の空満情報を利用者端末に送信し利用者の個人情報を含む区画の予約情報を受信する手段と、前記予約情報に基づいて前記空満情報を更新し、前記予約情報と予約開始時刻とともに駐車場管理情報格納部に登録する手段と、予約された区画のロックを駐車場の区画機器に指示する手段と、利用者管理サーバから個人情報が付された入庫要求を受信し、当該個人情報に基づいて前記駐車場管理情報格納部を検索し、当該個人情報に対応する予約情報が登録されていれば、当該予約情報に対応する区画のロックの解除を指示する手段とを有する。
【００１７】
本発明の第２の駐車場管理サーバは、前記第１の駐車場管理サーバであって、前記登録された予約情報について駐車場の区画ＩＤと予約開始時刻を含め予約完了通知を利用者端末に返信する手段を有する。
【００１８】
本発明の第３の駐車場管理サーバは、前記第１の駐車場管理サーバであって、出庫要求を受信し、駐車場管理情報格納部を参照し、前記要求で指定された区画の予約開始時刻と終了時刻に基づき駐車料金を算出し、料金情報と前記区画の利用者の個人情報を付しクレジットカードによる決済依頼を利用者管理サーバに送信し、決済完了を受信すると前記区画の区画機器にロックの解除を指示する手段を有する。
【００１９】
本発明の第４の駐車場管理サーバは、前記第２の駐車場管理サーバであって、前記予約を登録する手段が、予約区画が空きであれば、個人情報の利用者登録確認の依頼を利用者管理サーバに送信し、確認を受信してから予約の登録を行う様にし、前記利用者端末の要求に応じ入力画面情報を送信し、区画ＩＤと個人情報を含むキャンセル情報を取得する手段と、前記駐車場管理情報格納部を参照し、前記区画に前記個人情報の利用者による予約が登録されていれば、その区画のロックの解除を前記区画機器に指示しその区画の空満情報を空きに更新する手段と、前記区画の予約開始時刻と終了時刻に基づき駐車料金を算出し、料金情報と利用者の個人情報を付しクレジットカードによる決済依頼を利用者管理サーバに送信する手段を有する。
【００２０】
本発明の第５の駐車場管理サーバは、前記第３の駐車場管理サーバであって、前記区画機器より車両の入庫通知を受信すると区画管理情報の状態情報を満で使用中状態とする手段と、区画管理情報をスキャンし、状態情報が満で、かつ使用中でなく、予約開始時刻が現在時刻より一定時間以上前の時刻であればその区画の予約を自動解除し区画のロック解除を指示し、区画の状態を空きに更新する手段と、予約の自動解除通知メールを利用者端末に送信し、前記区画の予約開始時刻と終了時刻に基づき駐車料金を算出し、料金情報と利用者の個人情報を付しクレジットカードによる決済依頼を利用者管理サーバに送信する手段を有する。
【００２１】
本発明の第１のプログラムは、駐車場の区画の空満情報を利用者端末に送信し、利用者の個人情報を含む区画の予約情報を受信する手順と、前記予約情報に基づいて前記空満情報を更新し、前記予約情報と予約開始時刻とともに駐車場管理情報格納部に登録する手順と、予約された区画のロックを駐車場の区画機器に指示する手順と、利用者管理サーバから個人情報が付された入庫要求を受信し、前記駐車場管理情報格納部を検索し当該個人情報に対応する予約情報が登録されていれば、当該予約情報に対応する区画のロックの解除を指示する手順とを、コンピュータに実行させる。
【００２２】
本発明の第２のプログラムは、前記第１のプログラムであって、前記登録した予約情報について、予約情報の駐車場の区画ＩＤと予約開始時刻を含め予約完了通知を利用者端末に返信する手順をコンピュータに実行させる。
【００２３】
本発明の第３のプログラムは、前記第１のプログラムであって、出庫要求を受信し、前記駐車場管理情報格納部を参照し、前記要求で指定された区画の予約開始時刻と終了時刻に基づき駐車料金を算出する手順と、料金情報と前記区画の利用者の個人情報を付しクレジットカードによる決済依頼を利用者管理サーバに送信し、決済完了を受信すると前記区画の区画機器にロックの解除を指示する手順とを、コンピュータに実行させる。
【００２４】
本発明の第４のプログラムは、前記第２のプログラムであって、前記予約を登録する手順を、予約区画が空きであれば、個人情報の利用者登録確認の依頼を利用者管理サーバに送信し、確認を受信してから予約の登録を行う手順とし、前記利用者端末の要求に応じ入力画面情報を送信し、区画ＩＤと個人情報を含むキャンセル情報を取得する手順と、前記駐車場管理情報格納部を参照し、前記区画に前記個人情報の利用者による予約が登録されていれば、その区画のロック解除を前記区画機器に指示しその区画の空満情報を空きに更新する手順と、前記区画の予約開始時刻と終了時刻に基づき駐車料金を算出し、料金情報と利用者の個人情報を付しクレジットカードによる決済依頼を利用者管理サーバに送信する手順とを、コンピュータに実行させる。
【００２５】
本発明の第５のプログラムは、前記第３のプログラムであって、前記区画機器より車両の入庫通知を受けると区画管理情報の状態情報を満で使用中状態とする手順と、区画管理情報をスキャンし、状態情報が満で、かつ使用中でなく、予約開始時刻が現在時刻より一定時間以上前の時刻であればその区画の予約を自動解除し区画のロック解除を指示し、区画の状態情報を空きに更新する手順と、予約の自動解除通知メールを前記利用者端末に送信し、前記区画の予約開始時刻と終了時刻に基づき駐車料金を算出し、料金情報と利用者の個人情報を付しクレジットカードによる決済依頼を利用者管理サーバに送信する手順とを、コンピュータに実行させる。
【００２６】
本発明の第１の駐車場予約方法は、利用者端末と利用者管理サーバと駐車場管理サーバと利用者のクレジットカード利用の決済を行うクレジット会社管理サーバと前記駐車場の各区画に設置された区画機器がネットワークに接続されたシステムにおける駐車場予約方法であって、前記区画機器が、車両の車載機からＩＤを取得し利用者番号に変換し、当該利用者番号を付した入庫要求を前記利用者管理サーバに送信する手順と、前記区画への入庫をロックする手順を有し、前記利用者管理サーバが、利用者の個人情報とクレジットカード番号を、当該利用者の車載機のＩＤを変換した利用者番号と対応付け利用者情報格納部に予め登録する手順と、前記区画機器から入庫要求を受信し、当該入庫要求に付されている前記利用者番号に基づいて前記利用者情報格納部を検索し、当該利用者番号に対応する前記個人情報が登録されていれば、当該個人情報を前記入庫要求に付して前記駐車場管理サーバに転送する手順と、前記駐車場管理サーバから料金情報と個人情報が付された決済処理依頼を受信し、前記個人情報により利用者情報格納部を検索し対応するクレジットカード番号を取得し、前記クレジットカード番号を付してクレジット会社管理サーバに決済依頼を送信し、決済処理結果を受信し前記駐車場管理サーバに送信する手順を有し、前記駐車場管理サーバが、駐車場の区画の空満情報を前記利用者端末に送信し、利用者の個人情報を含む区画の予約情報を受信する手順と、前記予約情報に基づいて前記空満情報を更新し、前記予約情報と予約開始時刻とともに駐車場管理情報格納部に登録する手順と、予約された区画のロックを前記区画機器に指示する手順と、前記個人情報が付された前記入庫要求を受信し、当該個人情報に基づいて前記駐車場管理情報格納部を検索し、当該個人情報に対応する予約情報が登録されていれば、当該予約情報に対応する区画のロックの解除を指示する手順と、前記出庫要求を受け駐車場管理情報格納部を参照し、要求された区画の予約開始時刻と終了時刻に基づき駐車料金を算出する手順と、料金情報と利用者の個人情報を付し決済依頼を前記利用者管理サーバに送信し、決済完了を受信するとロックの解除を指示する手順を有する。
【００２７】
本発明の第６の駐車場予約システムは、利用者端末と利用者管理サーバと駐車場の予約を受け付ける駐車場管理サーバと前記駐車場に設置された駐車場機器とがネットワークに接続された駐車場予約システムであって、前記駐車場機器が、駐車場入口のゲートと前記入口に接近した車両の車載機からＩＤを取得し利用者番号に変換し、当該利用者番号を付した入場要求を前記利用者管理サーバに送信する手段を有し、前記利用者管理サーバが、利用者の個人情報を、当該利用者の車載機のＩＤを変換した利用者番号に対応付けて利用者情報格納部に予め登録する手段と、前記駐車場機器から要求を受信し前記要求に付されている利用者番号に基づいて、前記利用者情報格納部を検索しし、当該利用者番号に対応する前記個人情報が登録されていれば、当該個人情報を前記要求に付して前記駐車場管理サーバに転送する手段を有し、前記駐車場管理サーバが、駐車場の空き状況情報を前記利用者端末に送信し、利用者の個人情報を含む駐車場の予約情報を受信する手段と、前記予約情報に基づいて前記空き状況情報を更新し、前記予約情報と予約開始時刻とともに前記駐車場管理情報格納部に登録する手段と、前記個人情報が付された入場要求を受信し、当該個人情報に基づいて前記駐車場管理情報格納部を検索し、前記個人情報に対応する予約情報が登録されていれば、当該予約情報に対応する駐車場の入口ゲートの開放を前記駐車場機器に指示する手段を有する。
【００２８】
本発明の第７の駐車場予約システムは、前記第６の駐車場予約システムであって、前記駐車場管理サーバが、前記予約を登録すると、予約された駐車場と予約開始時刻を含め予約完了通知を利用者端末に返信する手段を有する。
【００２９】
本発明の第８の駐車場予約システムは、前記第６の駐車場予約システムであって、前記ネットワークには利用者のクレジットカード利用の決済を行うクレジット会社管理サーバも接続され、前記利用者管理サーバが、さらにクレジットカード番号も登録し、前記駐車場機器が、駐車場出口のゲートと前記出口に接近した車両の車載機のＩＤを取得して利用者番号に変換し、当該利用者番号を付した出場要求を前記利用者管理サーバに送信する手段と、前記駐車場管理サーバが、前記個人情報が付された出場要求を受信し、当該個人情報で駐車場管理情報格納部を検索し、対応する予約情報を取得し当該予約情報中の予約開始時刻と終了時刻に基づき駐車料金を算出する手段と、料金情報と利用者の個人情報を付し決済依頼を前記利用者管理サーバに送信し、決済完了を受信すると、出場要求に対応する駐車場機器に出口ゲートの開放を指示する手段を有する。
【００３０】
本発明の第９の駐車場予約システムは、前記第７の駐車場予約システムであって、前記駐車場管理サーバの前記予約を登録する手段が、予約対象の駐車場が空きであれば、個人情報と登録確認依頼を利用者管理サーバに送信し、確認可を受信すると予約の登録を行う様にし、前記駐車場管理サーバが、利用者端末の要求に応じ入力画面情報を送信し、駐車場ＩＤと個人情報を含むキャンセル情報を受信する手段と、駐車場管理情報格納部を参照し、前記駐車場に前記個人情報の利用者による予約が登録されていれば、その予約情報をリセットし、その駐車場の空き状況情報を更新する手段と、前記予約情報の予約開始時刻と終了時刻に基づき駐車料金を算出し、料金情報と利用者の個人情報を付し決済依頼を前記利用者管理サーバに送信する手段とを有する。
【００３１】
本発明の第１０の駐車場予約システムは、前記第８の駐車場予約システムであって、前記駐車場管理サーバの予約を登録する手段が登録した予約情報の状態を予約済みとし、前記入口ゲートの開放を指示する手段が前記駐車場管理情報格納部の前記要求の個人情報を含む予約情報の状態を使用中にする様にし、前記駐車場管理サーバが、駐車場の予約情報をスキャンし、状態が予約済みで予約開始時刻が現在時刻より一定時間以上前の時刻であればその予約を自動解除し駐車場の空き状況情報を更新する手段と、予約の自動解除通知メールを前記利用者端末に送信する手段と、駐車場の予約開始時刻と終了時刻に基づき駐車料金を算出し、料金情報と利用者の個人情報を付し決済依頼を前記利用者管理サーバに送信する手段とを有する。
【００３２】
本発明の第６の駐車場管理サーバは、駐車場の空き状況情報をネットワークを通じ利用者端末に送信し個人情報を含む駐車場の予約情報を受信する手段と、前記予約情報に基づいて前記空き状況情報を更新し、前記予約情報と予約開始時刻とともに駐車場管理情報格納部に登録する手段と、利用者管理サーバより個人情報が付された入場要求を受信し、前記個人情報で前記駐車場管理情報格納部を検索し、前記個人情報に対応する予約情報が登録されていれば、当該予約情報に対応する駐車場の入口ゲートの開放を前記駐車場機器に指示する手段とを有する。
【００３３】
本発明の第７の駐車場管理サーバは、前記第６の駐車場管理サーバであって、前記予約を登録すると、予約された駐車場と予約開始時刻を含め予約完了通知を利用者端末に返信する手段を有する。
【００３４】
本発明の第８の駐車場管理サーバは、前記第６の駐車場管理サーバであって、利用者管理サーバより個人情報が付された出場要求を受け、当該個人情報で駐車場管理情報格納部を検索し、前記個人情報に対応する予約情報を取得し当該予約情報中の予約開始時刻と終了時刻に基づき駐車料金を算出する手段と、料金情報と利用者の個人情報を付し決済依頼を前記利用者管理サーバに送信し、決済完了を受信すると駐車場の出口ゲートの開放を前記駐車場機器に指示する手段を有する。
【００３５】
本発明の第９の駐車場管理サーバは、前記第７の駐車場管理サーバであって、前記予約を登録する手段が、予約対象の駐車場が空きであれば、個人情報の登録確認依頼を前記利用者管理サーバに送信し、確認応答を受信し予約の登録を行う様にし、前記利用者端末の要求に応じ入力画面情報を送信し、駐車場ＩＤと個人情報を含むキャンセル情報を受信する手段と、前記駐車場管理情報格納部を参照し、前記駐車場に前記個人情報の利用者による予約が登録されていれば、その予約情報をリセットし、その駐車場の空き状況情報を更新する手段と、予約情報の予約開始時刻と終了時刻に基づき駐車料金を算出し、料金情報と利用者の個人情報を付しクレジットカードによる決済依頼を前記利用者管理サーバに送信する手段とを有する。
【００３６】
本発明の第１０の駐車場管理サーバは、前記第８の駐車場管理サーバであって、前記予約を受け付け登録する手段が登録した予約情報の状態を予約済みとし、前記入口ゲートの開放を指示する手段が前記駐車場管理情報格納部の前記入場要求の個人情報を含む予約情報の状態を使用中にする様にし、駐車場の予約情報をスキャンし、状態が予約済みで予約開始時刻が現在時刻より一定時間以上前の時刻であればその予約情報を自動解除し駐車場の空き状況情報を更新する手段と、予約の自動解除通知メールを利用者端末に送信し、前記予約情報の予約開始時刻と終了時刻に基づき駐車料金を算出し、料金情報と利用者の個人情報を付しクレジットカードによる決済依頼を前記利用者管理サーバに送信する手段とを有する。
【００３７】
本発明の第６のプログラムは、駐車場の空き状況情報をネットワークを通じ利用者端末に送信し個人情報を含む駐車場の予約情報を受信する手順と、前記予約情報に基づいて前記空き状況情報を更新し、前記予約情報と予約開始時刻とともに接続された駐車場管理情報格納部に登録する手順と、利用者管理サーバより個人情報が付された入場要求を受信し、前記個人情報で前記駐車場管理情報格納部を検索し、前記個人情報に対応する予約情報が登録されていれば、当該予約情報に対応する駐車場の入口ゲートの開放を前記駐車場機器に指示する手順とを、コンピュータに実行させる。
【００３８】
本発明の第７のプログラムは、前記第６のプログラムであって、前記予約情報を登録すると、予約された駐車場と予約開始時刻を含め予約完了通知を利用者端末に返信する手順をコンピュータに実行させる。
【００３９】
本発明の第８のプログラムは、前記第６のプログラムであって、前記利用者管理サーバより個人情報が付された出場要求を受け、当該個人情報で駐車場管理情報格納部を検索し、前記個人情報に対応する予約情報を取得し当該予約情報中の予約開始時刻と終了時刻に基づき駐車料金を算出する手順と、料金情報と利用者の個人情報を付しクレジットカードによる決済依頼を前記利用者管理サーバに送信し、決済完了を受信すると駐車場の出口ゲートの開放を前記駐車場機器に指示する手順とを、コンピュータに実行させる。
【００４０】
本発明の第９のプログラムは、前記第７のプログラムであって、前記予約を登録する手順を、予約対象の駐車場が空きであれば、個人情報の登録確認依頼を利用者管理サーバに送信し、確認応答を受信すると予約の登録を行う手順とし、前記利用者端末の要求に応じ入力画面情報を送信し、駐車場ＩＤと個人情報を含むキャンセル情報を受信する手順と、前記駐車場管理情報格納部を参照し、前記ＩＤの駐車場に前記個人情報の利用者による予約情報が登録されていれば、その予約情報をリセットし、その駐車場の空き状況情報を更新する手順と、前記予約情報中の予約開始時刻と終了時刻に基づき駐車料金を算出し、料金情報と利用者の個人情報を付しクレジットカードによる決済依頼を前記利用者管理サーバに送信する手順とを、コンピュータに実行させる。
【００４１】
本発明の第１０のプログラムは、前記第８のプログラムであって、前記予約を登録する手順を、更に登録した予約情報の状態を予約済みとする手順とし、前記入口ゲートの開放を指示する手順を、更に前記駐車場管理情報格納部の前記要求の個人情報を含む予約情報の状態を使用中にする手順とし、駐車場の予約情報をスキャンし、状態が予約済みで予約開始時刻が現在時刻より一定時間以上前の時刻であればその予約を自動解除し駐車場の空き状況情報を更新する手順と、予約の自動解除通知メールを利用者端末に送信し、前記予約情報中の予約開始時刻と終了時刻に基づき駐車料金を算出し、料金情報と利用者の個人情報を付しクレジットカードによる決済依頼を前記利用者管理サーバに送信する手順とを、コンピュータに実行させる。
【００４２】
本発明の第２の駐車場予約方法は、利用者端末と利用者管理サーバと駐車場管理サーバと利用者のクレジットカード利用の決済を行うクレジット会社管理サーバと前記駐車場に設置された駐車場機器がネットワークに接続されたシステムにおける駐車場予約方法であって、  前記駐車場機器が、駐車場入口に接近した車両の車載機からＩＤを取得し利用者番号に変換し、前記利用者番号を入場要求に付して前記利用者管理サーバに送信する手順と、駐車場出口に接近した車両の車載機からＩＤを取得し利用者番号に変換し出場要求に付して前記利用者管理サーバに送信する手順を有し、前記利用者管理サーバが、利用者の個人情報とクレジットカード番号を、当該利用者の車載機のＩＤを変換した利用者番号に対応付けて利用者情報格納部に予め登録する手順と、前記駐車場機器から要求を受信し前記要求に付されている利用者番号に基づいて、前記利用者情報格納部を検索し、当該利用者番号に対応する前記個人情報が登録されていれば、当該個人情報を前記要求に付して前記駐車場管理サーバに転送する手順と、前記駐車場管理サーバから料金情報と個人情報が付された決済処理依頼を受信し、前記個人情報により利用者情報格納部を検索し対応するクレジットカード番号を取得し、前記クレジットカード番号を付して前記クレジット会社管理サーバに決済依頼を送信し、決済処理結果を受信し前記駐車場管理サーバに送信する手順を有し、前記駐車場管理サーバが、駐車場の空き状況情報を前記利用者端末に送信し、利用者の個人情報を含む駐車場の予約情報を受信する手順と、前記予約情報に基づいて前記空き状況情報を更新し、前記予約情報と予約開始時刻とともに前記駐車場管理情報格納部に登録する手順と、前記個人情報が付された入場要求を受信し、当該個人情報に基づいて前記駐車場管理情報格納部を検索し、前記個人情報に対応する予約情報が登録されていれば、当該予約情報に対応する駐車場の入口ゲートの開放を前記駐車場機器に指示する手順と、前記個人情報が付された出場要求を受信し、当該個人情報に基づいて前記駐車場管理情報格納部を検索し、対応する予約情報を取得し当該予約情報中の予約開始時刻と終了時刻に基づき駐車料金を算出する手順と、料金情報と利用者の個人情報を付し決済依頼を前記利用者管理サーバに送信し、決済完了を受信すると、出場要求に対応する駐車場機器に出口ゲートの開放を指示する手順とを有する。
【発明の効果】
【００４３】
本発明によれば、利用者が携帯端末から予約した駐車場に入庫する際に、車載機からＩＤを読み取って利用者登録を確認するとともに入庫要求が転送されるので、利用者情報の漏洩を防止でき、入庫する際の操作を容易にできるという効果がある。
【発明を実施するための最良の形態】
【００４４】
次に、本発明を実施するための最良の形態について図面を参照して詳細に説明する。図１は、本発明の駐車場予約システムの第１の実施形態の全体構成を示すブロック図である。本実施の形態の駐車場予約システムでは、利用者管理サーバ１０、各駐車場の中継装置３０、各駐車場管理センタの駐車場管理サーバ２０、クレジット会社管理サーバ９０、携帯電話会社の基地局８、利用者端末６がインターネット等のネットワーク２００で接続されている。更に、利用者携帯端末７も無線ネットワーク２０１、携帯電話会社の基地局８を通じネットワーク２００に接続されている。
【００４５】
利用者管理サーバ１０、駐車場管理サーバ２０、クレジット会社管理サーバ９０等は、ＣＰＵやメモリを含む制御部を備え、プログラム制御で動作するコンピュータである。
【００４６】
利用者管理センタの利用者管理サーバ１０には利用者情報格納部１１がアクセス可能に接続され、これには利用者の氏名、クレジットカード番号、利用者携帯端末７のメールアドレス及び電話番号、利用者の車載器ＩＤ番号等の情報が利用者番号に対応付けて登録されている。
【００４７】
利用者端末６、利用者携帯端末７が利用者管理サーバ１０に申請のためにアクセスすると、利用者管理サーバ１０が利用者の個人情報（氏名、利用者の携帯端末のメールアドレス）、クレジットカード番号、車載器ＩＤ番号の情報をこれら端末から取得する。利用者管理サーバ１０により予め、クレジットカード番号と利用者の氏名及び利用者携帯端末７の電話番号の組合せがクレジット会社に登録されているかについてクレジット会社管理サーバ９０にアクセスし与信確認が実施される。与信されると、前記申請の車載機ＩＤ番号から利用者番号を計算し、これに対応付けて個人情報とクレジットカード番号を利用者情報格納部１１に登録する。尚、利用者番号は利用者にも通知せず、利用者情報格納部の内部で使用される。
【００４８】
中継装置３０は、駐車場の複数の区画機器３１と駐車場管理サーバ２０や利用者管理サーバ１０との通信を集約し中継する装置である。複数の区画機器３１はローカルネットワーク３２により中継装置３０に接続されている。区画機器３１は駐車場の各区画（車両１台分の駐車スペース）に設置された機器の総称である。
【００４９】
各駐車場管理センタでは、駐車場管理サーバ２０に駐車場管理情報格納部２６がアクセス可能に接続され、これには、駐車場ＩＤを含む駐車場案内情報、各駐車区画の空満情報、予約やキャンセルの入力画面情報、区画毎の管理情報（状態情報と予約者情報）、クレジット会社情報等の情報が管理されている。
【００５０】
クレジット会社管理サーバ９０にはクレジット利用者情報格納部９１がアクセス可能に接続され、これにはクレジット利用者の氏名及び利用者携帯端末７の電話番号、住所、生年月日がクレジットカード番号と共に登録されている。
【００５１】
利用者端末６、利用者携帯端末７は、それぞれブラウザ６１、７１が搭載され、駐車管理センタの駐車場管理情報格納部２６に管理して格納されている駐車場の区画空満情報、入力画面情報、予約確定通知画面情報等がロードされ表示される。
【００５２】
図２は、駐車場の駐車区画における区画機器３１とこれに接近した車両の構成を示すブロック図である。利用者が運転する車両１００には、車載機１０１が実装されている。車載機１０１はアンテナが内蔵され、路側機３１４のアンテナ３１６と通信が可能となるように車両に実装される。
【００５３】
車載機１０１は例えばＥＴＣ（Ｅｌｅｃｔｒｏｎｉｃ  Ｔｏｏｌ  Ｃｏｌｌｅｃｔｉｏｎ）の車載機である。
【００５４】
区画機器３１は、路側機３１４とロック機構３１７と出庫ボタン３１９と駐車センサ３２０と区画コントローラ３１０を含む。路側機３１４は車載機１０１と無線通信による通信を行う、アンテナ３１６と通信回路３１５からなり、区画コントローラ３１０と接続されている。上記無線通信はＤＳＲＣ（狭域）通信である。
【００５５】
ロック機構３１７は、ロック板３１８とこれの駆動部を備え、例えばロック板３１８を立てた状態（ロック状態）にすることで、車両の区画への入庫を阻止し、また入庫（駐車）した車両の出庫を阻止する。
【００５６】
出庫ボタン３１９は、出庫要求（出場要求）を伝えるために利用者に操作される押しボタン等であり、その接点出力を区画コントローラ３１０に送出する。駐車センサ３２０は車両が入庫されているかどうかを検出するセンサで、例えば圧力センサ等であり、そのセンサ出力を区画コントローラ３１０に送出する。
【００５７】
区画コントローラ３１０はマイクロコンピュータとＲＯＭ、ＲＡＭを含む制御部３１２と変換手段３１３と通信部３１１を含む。変換手段３１３は、車載機ＩＤを予め決められた計算式に基づき利用者番号に変換する変換回路である。制御部３１２は駐車場ＩＤと区画ＩＤを含む入庫要求コマンド（入庫要求）に変換後の利用者番号を添付し、更に宛先通信アドレス（利用者管理サーバ１０のＩＰアドレス等）を付加し通信部３１１に送信要求する。
【００５８】
通信部３１１は、ローカルネットワーク３２を通じ、前記変換後の利用者番号他の情報を中継装置３０に送信する。
【００５９】
ここで、駐車場が屋外の開放空間にある場合には、ローカルネットワーク３２をトークンリング方式にすれば広範囲の駐車場にも対応できる。この場合、通信部３１１は自装置宛でないパケットは隣接の次の区画コントローラの通信部に転送する。また、変換手段３１３は制御部３１２のファームウェアで実現する様にしてもよい。
【００６０】
図３は図１の駐車場管理サーバ２０の構成を示すブロック図である。駐車場管理サーバ２０は、通信手段２１、駐車場情報サービス手段２２、駐車場管理手段２３、メール発行手段２５を含む。通信手段２１はＬＡＮアダプタボードとドライバプログラムとＴＣＰ／ＩＰ通信プログラムと上位のＨＴＴＰ通信処理プログラム等である。
【００６１】
駐車場情報サービス手段２２は、利用者携帯端末７のブラウザ７１や利用者端末６のブラウザ６１からロード要求を受け、駐車場管理情報格納部２６の駐車場案内情報、各駐車区画の空満情報、予約やキャンセルの入力画面情報を送信する。
【００６２】
駐車場管理手段２３は、ブラウザ７１やブラウザ６１からの予約要求、キャンセル要求を受け駐車場管理情報格納部２６の区画毎の空満情報や管理情報の更新や、区画機器３１へのロック／開放指示等を行い処理する。また、区画機器３１からの出庫要求を受け料金を計算し処理する。
【００６３】
メール発行手段２５は、駐車場管理手段２３から指示され、利用者携帯端末７や利用者端末６に決済通知メールや予約解除通知メールを作成しネットワーク２００のメールサーバ等に送信する。
【００６４】
駐車場情報サービス手段２２、駐車場管理手段２３、メール発行手段２５は、それぞれのプログラムで駐車場管理サーバ２０を制御することで実現される。
【００６５】
図４に、駐車場管理情報格納部２６の内容例を示す。これには、駐車場ＩＤを含む駐車場案内情報、予約完了通知テンプレート、各駐車区画の空満情報、予約やキャンセルの入力画面情報、区画毎の管理情報（予約開始時刻と予約者情報）、メールテンプレートが格納される。
【００６６】
駐車場案内情報には、駐車場識別、住所、概略地図、収容可能車種と台数（区画数）、利用可能時間、利用のための手続きを含む案内情報であり、ＭＬ（Ｍａｒｋ  Ｕｐ  Ｌａｎｇｕａｇｅ）等で記述されている。予約確定通知テンプレート、予約やキャンセルの入力画面情報もＭＬ等で記述されている。
【００６７】
各駐車区画の空満情報は各区画の空満リストを参照し表示するＭＬ等である。空満リストは各区画の空／満状態と満時の付随状態としての使用中のオン／オフを示すが、表示されるのは空／満状態のみとする。
【００６８】
また「空いている区画は下記区画です。区画＃１、区画＃１５」の様に空き区画のみ表示するようにしてもよい。
【００６９】
次に、本発明の第１の実施の形態の動作について図５と図６のシーケンスチャートを参照して説明する。利用者携帯端末７のブラウザ７１或いは利用者端末６のブラウザ６１は、ネットワーク２００に接続して駐車場管理サーバ２０にアクセスし、駐車区画の空満情報を要求し、駐車場情報サービス手段２２が駐車区画の空満情報を駐車場管理情報格納部２６より読み出して返信する（ステップＡ１）。
【００７０】
ブラウザ７１或いはブラウザ６１は受信情報を解釈し、駐車区画の空満情報と共に予約画面要求ボタンも表示し、これにタブを指定しての確定操作を受けると予約入力画面情報を要求し、駐車場情報サービス手段２２が予約入力画面情報を返信する（ステップＡ２）。
【００７１】
ブラウザ７１或いはブラウザ６１は予約入力画面を表示し、利用者による区画情報、個人情報（氏名及び利用者携帯端末７の電話番号）、予約指示の入力を受け、入力された予約情報を駐車場管理サーバ２０の駐車場管理手段２３宛に送信する（ステップＡ３）。
【００７２】
駐車場管理手段２３は予約情報を受信すると、予約区画の空満情報が空きであれば（ステップＡ４）、個人情報と確認依頼を利用者管理サーバ１０に送信し、利用者管理サーバ１０は利用者情報格納部１１を参照し、受信した個人情報が登録され、そのエントリにクレジットカード番号も登録されているか確認する。全て登録されていれば確認可と利用者携帯端末のメールアドレスをそれ以外では確認否を返信する（ステップＡ５）。
【００７３】
駐車場管理手段２３は確認可を受信すると、区画の空満情報を満に更新し予約情報と利用者携帯端末７のメールアドレスを駐車場管理情報格納部２６の区画毎管理情報の対応するブロックに登録し、予約開始時刻も登録する（ステップＡ６）。
【００７４】
駐車場管理手段２３は、中継装置３０に区画ＩＤを付けたロック指示を送信し（ステップＡ７）、中継装置３０からロック指示を中継送信された区画機器３１がロック板３１８を作動させる（ステップＡ８）。
【００７５】
駐車場管理手段２３は、駐車区画の予約に成功すると、駐車区画の予約完了の通知、予約開始時刻、予約した駐車区画の場所等の情報を、ブラウザ７１或いはブラウザ６１に送信する（ステップＡ９）。或いは、メール発行手段２５を通じ利用者携帯端末７や利用者端末６にメールを送信するようにしてもよい。
【００７６】
駐車場管理手段２３は、駐車場予約完了時、駐車場予約より一定時間後、利用者利用時のいずれかのタイミングで利用者に対して利用料の課金を開始する。
【００７７】
駐車場案内情報、或いは駐車区画の空満情報には、予約キャンセル画面要求ボタンも含まれているが予約をした利用者がこれによりキャンセルをせず、車両をタイムアウト時刻より前に到着させた場合について説明する。
【００７８】
車両１００に実装された車載機１０１が、区画機器３１の路側機３１４のアンテナ３１６と通信可能な通信エリアに進入すると、路側機３１４は車載機１０１とＤＳＲＣ通信による通信を開始し、車載機１０１の車載器ＩＤを取得しこれを区画コントローラ３１０に送信する。区画コントローラ３１０は変換手段３１３により受信した車載器ＩＤ番号を利用者番号に変換する。利用者番号は、個々の利用者を識別可能な英数字または数字からなる番号である。区画コントローラ３１０は入庫要求（駐車場や区画ＩＤも含む）に利用者番号を付けて中継装置３０とネットワーク２００を介して、利用者管理センタの利用者管理サーバ１０に送信する（ステップＡ１０）。
【００７９】
利用者管理サーバ１０は、利用者情報格納部１１を参照して、車載機１０１のＩＤから変換された利用者番号に対応付けられた利用者情報（利用者の氏名、利用者携帯端末７のメールアドレス等の個人情報とクレジットカード番号）を検索し、対応付けられた利用者情報が登録されていれば、利用者番号に代わり個人情報を入庫要求に付し駐車場ＩＤで指定される駐車場管理センタの駐車場管理サーバ２０へ送信する（ステップＡ１１）。
【００８０】
駐車場管理サーバ２０の駐車場管理手段２３は、駐車場管理情報格納部２６の入庫要求された区画の空満情報と管理情報を参照して、入庫要求と共に受信した個人情報の利用者が区画を予約しているかどうか（状態が満で、予約者情報が受信した個人情報に符合する）を判定する。予約していると判定すると（ステップＡ１２）、前記区画ＩＤを指定し中継装置３０にロック解除を送信し（ステップＡ１３）、駐車場の区画機器３１がロック板３１８を開放する（ステップＡ１４）。
【００８１】
利用者が車両１００を区画に入庫すると、区画機器３１の区画コントローラ３１０は、ロック状態オフの時に駐車センサ３２０が所定時間オンすると、ロック板３１８を再ロックし、区画ＩＤと入庫通知コマンドを駐車場管理サーバ２０の駐車場管理手段２３に送信する（ステップＡ１５）。駐車場管理手段２３は駐車場管理情報格納部２６の区画ＩＤで指定される区画の空満情報の使用中フラグも立てる（ステップＡ１６）。
【００８２】
駐車場に戻ってきた利用者により、出庫ボタン３１９が押下されると、区画コントローラ３１０は、区画ＩＤ付きの出庫要求を駐車場管理サーバ２０の駐車場管理手段２３に送信する（ステップＡ１７）。これを受信した駐車場管理手段２３は駐車場管理情報格納部２６の区画ＩＤで指定される区画の空満情報が満で且つ使用中であれば、その時の時刻を出庫時刻としこれと予約開始時刻より駐車料金を算出する（ステップＡ１８）。料金額と利用者の個人情報（氏名と携帯端末電話番号）を決済依頼に付け利用者管理サーバ１０に送信する（ステップＡ１９）。
【００８３】
尚、運用方針により、予約開始時刻、或いはこれより一定時間経過後、或いは使用開始時からのいづれかを課金開始時刻として料金計算し、料金が発生すれば決済要求するようにしてもよい。ここで使用開始時から課金する実施例では使用開始時刻を管理情報に記録しておく。
【００８４】
利用者管理サーバ１０は決済要求を受信すると、これに付された個人情報で、利用者情報格納部１１を検索し、対応する利用者のクレジットカード番号を取得し、クレジット会社管理サーバ９０に利用者の氏名、クレジット番号、駐車料金を送信してクレジットカードによる決済を依頼する（ステップＡ２０）。クレジット会社管理サーバ９０が、自装置或いは配下装置で決済処理し、決済結果を送信し（ステップＡ２１）、利用者管理サーバ１０が決済結果を駐車場管理サーバ２０に転送する（ステップＡ２２）。
【００８５】
駐車場管理サーバ２０の駐車場管理手段２３は、利用者管理サーバ１０から決済結果を受け取ると決済完了であれば、区画ＩＤを指定し中継装置３０に区画の開放を送信し（ステップＡ２３）、駐車場の区画機器３１がロック板３１８を開放する（ステップＡ２４）。
【００８６】
駐車場管理手段２３は指定を決済通知とし金額、利用者情報（氏名、携帯端末メールアドレス）をメール発行手段２５に渡すと、メール発行手段２５が決済通知メールテンプレートに金額、氏名を埋め込み、駐車場利用情報、決済情報等が記載された通知メールを作成し携帯電話会社の基地局８を経由して本文を利用者携帯端末７に送信する（ステップＡ２５）。
【００８７】
区画機器３１で駐車センサ出力がオフになると入庫状態オフが通知され（ステップＡ２６）、駐車場管理手段２３が区画の空満情報の状態を空きにし、使用中状態（フラグ）もオフにする（ステップＡ２７）。
【００８８】
次に、利用者が予約完了通知を受けた後にキャンセル要求をする場合について、シーケンス図には示してないが下記に説明する。ブラウザ７１或いはブラウザ６１がキャンセル入力画面をロード要求し駐車場情報サービス手段２２がこれを返信し（ステップＢ１）、ブラウザ７１或いはブラウザ６１がキャンセル入力画面を表示し、区画指定情報、個人情報（氏名及び利用者携帯端末７の電話番号）が入力され送信指示を受けると、これらの情報をキャンセル情報として駐車場管理手段２３宛に送信する（ステップＢ２）。
【００８９】
駐車場管理手段２３はキャンセル情報を受信すると、駐車場管理情報格納部２６の区画の状態が予約済みで、これの予約者情報がキャンセル情報の個人情報を含めばキャンセルを受け付け（ステップＢ３）、予約されていた区画の区画機器３１のロック板３１８を開放させ（ステップＢ４）、区画の空満情報の状態を空きに更新する（ステップＢ５）。
【００９０】
そして予約情報を別途控え、予約開始時刻と終了時刻により料金計算し（ステップＢ６）、料金額に予約者情報の個人情報を付け決済処理依頼を送信する（ステップＢ７）。以降ステップＡ２０〜Ａ２２、ステップＡ２５と同様に処理する。
【００９１】
次にタイムアウトにより予約を自動的に解除する場合について説明する。予約開始時刻より一定時間経過しても、区画が使用されず、キャンセルもされないと予約を自動的に解除する。
【００９２】
駐車場管理手段２３が区画の空満情報が満の区画の管理情報をスキャンしており、区画の状態が満で、かつ使用中でなく、予約開始時刻が現在時刻より一定時間以上前の時刻であればタイムアウトと判定し（ステップＣ１）、その区画の予約を解除する。即ち、予約されていた区画の区画機器３１のロック板３１８を開放させ（ステップＣ２）、区画毎管理情報の区画の状態を空きに更新し、提供する区画空満情報も空きにする（ステップＣ３）。
【００９３】
そして予約情報を別途控え、駐車場管理手段２３は指定を予約解除通知とし利用者情報（氏名、携帯端末メールアドレス）をメール発行手段２５に渡すと、メール発行手段２５が予約解除通知メールテンプレートに氏名を埋め込み、駐車場予約解除通知等が記載されたメールを作成し携帯電話会社の基地局８を経由して本文を利用者携帯端末７に送信する（ステップＣ４）。以降ステップＢ６〜Ｂ７、ステップＡ２０〜Ａ２２、ステップＡ２５と同様に処理する。但し前記ステップＢ６の予約情報の控えは、ステップＣ４にて行っており省略する。
【００９４】
ここで、予約開始時刻より一定時間（例えば５分等）は、課金しない様にし、この時間内にキャンセルを受け付けると、請求せず、ステップＢ６で終了時刻が予約開始時刻から一定時間以内であれば、料金を発生させないようにし、以降の決済処理は行わないようにする別の実施例もある。
【００９５】
以上により本発明の第１の実施の形態の動作が終了する。
【００９６】
本発明の第１の本実施の形態によれば、利用者携帯端末より予約した駐車場に入場ないし入庫する際に、識別を車載機からＩＤを自動で読み取り、それをもとにして利用者登録を確認し、入場や入庫要求が転送されるので、入場ないし入庫する際の操作が不要にできる。
【００９７】
また、前記車載機からＩＤを自動で読み取り、それを利用者番号に変換し利用者情報格納部よりクレジットカード番号を取得し、それを用いて自動決済するので、出庫する際に駐車料金の精算行動を行う必要がない。
【００９８】
また、予約情報のキャンセルが可能で、更に予約後一定時間（例えば２時間）経過し入庫しないと自動解約されるので、余分な料金が発生しない。
【００９９】
更に、利用者登録や本人認証のキーとなるもとが機械読み取りの車載機のＩＤで利用者番号も通知されず装置内部で使用されるのでセキュリティが向上している。
【０１００】
次に、本発明の第２の実施の形態について図面を参照して詳細に説明する。図７は、本発明の駐車場予約システムの第２の実施形態の全体構成を示すブロック図である。本実施の形態の駐車場予約システムでは、駐車場管理センタの駐車場管理サーバ４０が、管理単位を駐車場区画でなく、駐車場とし、且つ複数の駐車場を管理し、複数の駐車場の予約を受け付ける点、及び駐車場に設置された機器が区画対応の機器でなく、駐車場出入り口の駐車場機器５である点が前記第１の実施の形態との相違点である。
【０１０１】
駐車場管理サーバ４０は、複数の駐車場を管理しこれらの予約を受け付ける。各駐車場には、駐車場機器５−１〜５−ｍが設置され、これの駐車場端末５１−１〜５１−ｍがネットワーク２００に接続されている。
【０１０２】
図８は駐車場機器５と利用者の車両１００の構成を示すブロック図である。入口５２には、路側機５２２と、入口ゲート機構５２１が設置され、出口５３には、路側機５３２と、出口ゲート機構５３１が設置され、これらと駐車場端末５１はＬＡＮ５５（ローカルエリアネットワーク）によりに接続され、さらにルータ５４を介しネットワーク２００に接続されている。
【０１０３】
路側機５２２と路側機５３２は前記路側機３１４と同様の機能を有している。駐車場端末５１の変換手段５１１も前記変換手段３１３と同様の機能を持つ。入口ゲート機構５２１は、車両１００の入口５２の通過を許可／遮断するバーとこれを上げ／下げする駆動機構等をそなえる。出口ゲート機構５３１も同様である。
【０１０４】
駐車場管理サーバ４０は、ＣＰＵやメモリを含む制御部を備え、プログラム制御で動作するコンピュータであり、構成は図３の構成と同様であるが、駐車場管理手段２３相当は駐車場管理手段２３と前記相違点を持つ。
【０１０５】
駐車場管理情報格納部４１の内容例を図９に示す。駐車場案内情報としては複数の駐車場の情報が格納される。駐車場の空き状況情報は各駐車場の空き状況（空き／予約済み／使用中の各状態の区画数）を示したリストとこれを参照し表示するＭＬ記述のプログラムである。前記リストには駐車場の総区画数（収容台数）も付属しているがこれは表示対象としなくてもよい。なお、空き区画数のみ表示するようにしてもよい。
【０１０６】
管理情報は駐車場ごとの情報で、予約者情報は、具体的な区画ＩＤに対応付けられたものでないが、各予約者情報が状態と個人情報と予約開始時刻を持つ。
【０１０７】
次に本発明の第２の実施の形態の動作について図１０〜図１１のシーケンスチャートを参照し説明する。利用者携帯端末７、或いは利用者端末６は、ネットワーク２００に接続して駐車場管理サーバ４０にアクセスし駐車場管理情報格納部４１の駐車場の空状況情報を取得する（ステップＤ１）。
【０１０８】
駐車場管理サーバ４０は要求を受け予約入力画面情報を送信し（ステップＤ２）、利用者携帯端末７或いは利用者端末６から、空きがある駐車場に対して予約の指示を行うと駐車場管理サーバ４０は予約情報を取得し（ステップＤ３）、駐車場管理サーバ４０は予約された駐車場の空きを確認し予約を受け付け（ステップＤ４）、予約情報の個人情報と、クレジットカード番号の登録の確認依頼を利用者管理サーバ１０に送信し、確認可を受信すると（ステップＤ５）、その駐車場の空き状況の更新（例えば予約済み区画数のインクリメントと、総区画数から予約済み区画数と使用中区画数を差し引いた区画数を空き区画数とし更新）と予約情報の予約者情報登録を駐車場管理情報格納部４１に対して行う。予約者情報に付随の状態は予約済みとし予約開始時刻も登録する（ステップＤ６）。
【０１０９】
駐車場の予約に成功すると、駐車場管理サーバ４０は、駐車場の予約完了の通知、予約開始時刻、予約した駐車場の場所等の情報を、利用者携帯端末７、或いは利用者端末６に送信する（ステップＤ７）。
【０１１０】
駐車場予約完了時、駐車場予約一定時間後、駐車場使用開始時のいずれかのタイミングで利用者に対して利用料の課金を開始する。
車両１００に実装された車載機１０１が、駐車場機器５の入口５２の路側機５２２のアンテナ５２４と通信可能な通信エリアに進入すると、路側機５２２は車載機１０１とＤＳＲＣ通信による通信を開始し、車載機１０１の車載器ＩＤを取得する。
【０１１１】
路側機５２２は車載器ＩＤ番号を駐車場端末５１に送信する。変換手段５１１は受信した車載器ＩＤから利用者番号に変換する。利用者番号は、個々の利用者を識別可能な英数字または数字からなる番号である。駐車場端末５１は入場要求（駐車場ＩＤも含む）と利用者番号を付けてＬＡＮ５５（ローカルネットワーク）とネットワーク２００を介して、利用者管理センタの利用者管理サーバ１０に送信する（ステップＤ８）。
【０１１２】
利用者管理センタの利用者管理サーバ１０は、利用者情報格納部１１を参照して、ＥＴＣの車載機１０１のＩＤから変換された利用者番号に対応して利用者の個人情報（氏名、携帯端末７のメールアドレス等）と利用者のクレジット番号等の利用者情報が登録されていれば、入場要求に個人情報を付けて駐車場管理センタの駐車場管理サーバ４０へ転送する（ステップＤ９）。
【０１１３】
駐車場管理センタの駐車場管理サーバ４０は、駐車場管理情報格納部４１を参照して、利用者管理サーバ１０から送信された個人情報の利用者が要求している駐車場を予約しているかどうかを判定する（ステップＤ１０）。予約していると判定すると、駐車場機器５に入口開放を指示し（ステップＤ１１）、入口ゲート機構５２１が開放される（ステップＤ１２）。駐車場管理サーバ４０は、駐車場管理情報格納部４１の駐車場空き状況を更新し予約者情報に付随の状態情報を使用中に更新する（ステップＤ１３）。
【０１１４】
利用者が駐車しその後、戻って来て車両１００の移動を開始する。車両１００に実装された車載機１０１が、駐車場機器５の出口５３の路側機５３２のアンテナ５３４と通信可能な通信エリアに進入すると、路側機５２２は車載機１０１とＤＳＲＣ通信による通信を開始し、車載機１０１の車載器ＩＤを取得する。
【０１１５】
路側機５３２は車載器ＩＤ番号を駐車場端末５１に送信する。変換手段５１１は受信した車載器ＩＤ番号から利用者番号に変換する。利用者番号は、個々の利用者を識別可能な英数字または数字からなる番号である。駐車場端末５１は出場要求（駐車場ＩＤ含む）に利用者番号を付けて、ＬＡＮ５５（ローカルネットワーク）とネットワーク２００を介して、利用者管理センタの利用者管理サーバ１０に送信する（ステップＤ１４）。
【０１１６】
利用者管理サーバ１０は、利用者情報格納部１１を参照して、ＥＴＣの車載機１０１のＩＤから変換された利用者番号に対応付けられた利用者の個人情報（氏名、携帯端末７のメールアドレス）を取得して、駐車場管理センタの駐車場管理サーバ４０へ送信する（ステップＤ１５）。
【０１１７】
駐車場管理サーバ４０は精算処理を開始する。駐車場管理サーバ４０は、予約開始時刻と出場時刻より駐車料金を算出する（ステップＤ１６）。
【０１１８】
なお、料金の計算の課金開始時刻は、方針により予約開始時、予約より一定の猶予時間後、駐車場使用開始時のいずれかにすればよい。
【０１１９】
駐車場管理サーバ４０は、料金額と、個人情報のついた決済処理依頼を利用者管理サーバ１０の送信する（ステップＤ１７）。利用者管理サーバ１０は、決済依頼を受信すると個人情報により利用者情報格納部１１を検索し、対応するクレジットカード番号を取得し、クレジット会社のクレジット会社管理サーバ９０に利用者の個人情報、クレジット番号、料金を送信してクレジットカードによる決済を依頼する（ステップＤ１８）。
【０１２０】
クレジット会社管理サーバ９０が決済処理をし結果を利用者管理サーバ１０に送信し（ステップＤ１９）、利用者管理サーバ１０は決済処理結果を駐車場管理サーバ４０に送信し（ステップＤ２０）、駐車場管理サーバ４０は、決済処理結果が完了であれば出口開放を指示し（ステップＤ２１）、駐車場機器５の出口５３の出口ゲート機構５３１が開放される（ステップＤ２２）。
【０１２１】
駐車場管理サーバ４０は、クレジット会社から決済完了通知を受け取ると、携帯電話会社の基地局８を経由して、駐車場利用情報、決済情報等が記載されたメール本文を利用者携帯端末７に送信する（ステップＤ２３）。駐車場管理サーバ４０は駐車場の空き状況を更新（使用中区画数をデクリメントし、空き区画数をインクリメント）し、予約者情報もクリアしておく（ステップＤ２４）。
【０１２２】
利用者携帯端末７、或いは利用者端末６より駐車場の予約をキャンセルされた場合、駐車場管理センタの駐車場管理サーバ４０は、予約されていた駐車場の予約を開放する。
即ち、駐車場管理サーバ４０が、利用者携帯端末７のブラウザ７１、或いは利用者端末６のブラウザ６１からの要求に応じ予約キャンセル用の入力画面情報を送信し、駐車場ＩＤと個人情報を含むキャンセル情報を取得し、駐車場管理情報格納部４１を参照し、前記駐車場ＩＤの駐車場のブロックに前記個人情報を含む予約者情報があれば、その予約者情報を別途控え、予約者情報の状態を空きに更新する。またその駐車場の空き状況情報を更新する（予約済み区画数をデクリメントし、空き区画数をインクリメントする）。
【０１２３】
また一定時間を過ぎても駐車場が利用されない場合、駐車場管理センタの駐車場管理サーバ４０は駐車場の予約を解除し、携帯電話会社の基地局８を経由して、駐車場予約解除通知等が記載されたメール本文を利用者携帯端末７に送信する。
【０１２４】
即ち、駐車場管理サーバ４０が、駐車場管理情報格納部４１の予約者情報をスキャンし、状態が予約済みで予約開始時刻が現在時刻より一定時間以上前の時刻であればその予約者情報を別途控え、予約者情報の状態を空きに更新する。またその駐車場の空き状況情報を更新する（予約済み区画数をデクリメントし、空き区画数をインクリメントする）。
そして予約の自動解除通知メールを作成し利用者携帯端末７、或いは利用者端末６に送信する。
【０１２５】
上記キャンセルを受け付け場合、自動解約した場合に、前記控えた予約者情報の予約開始時間と終了時間により、駐車場料金を計算し、料金が発生すれば決済依頼に料金額と個人情報を付し利用者管理サーバ１０に送信する。以降前記と同様によりクレジットカードによる決済をし、決済処理通知メールを利用者携帯端末７、或いは利用者端末６に送信する。
【０１２６】
以上により本発明の第２の実施の形態の動作が終了する。
【０１２７】
本発明の第２の実施の形態は、前記第１の実施の形態と同様の効果を有する。
【０１２８】
なお、他の実施例として、予約完了時に駐車料金の課金を開始するのではなく、予約完了時に予約代金として一定料金を課金しても良い。
【０１２９】
また、駐車場管理サーバ２０や、駐車場管理サーバ４０が、入庫要求や入場要と個人情報を受ける際、或いは利用者登録の確認応答を受ける際にクレジットカード番号登録の有無を受け、クレジットカード番号登録の有の場合に利用者管理サーバ１０に決済依頼し、登録無しでは駐車場で精算処理するようにしてもよい。
【０１３０】
また、利用者携帯電話等の利用者携帯端末７でなく利用者端末６を車載で、ブラウザ付きのカーナビゲーション端末としてこれを主に使用する様にしてもよい。
【産業上の利用可能性】
【０１３１】
本発明はネットワーク利用の駐車場予約システムに適用できる。
【図面の簡単な説明】
【０１３２】
【図１】本発明の駐車場予約システムの第１の実施形態の全体構成を示すブロック図である。
【図２】本発明の第１の実施の形態の駐車場の区画における区画機器３１とこれに接近した車両１００の構成を示すブロック図である。
【図３】本発明の第１の実施の形態の駐車場管理サーバ２０の構成を示すブロック図である。
【図４】本発明の第１の実施の形態の駐車場管理情報格納部２６の内容例を示す図である。
【図５】本発明の第１の実施の形態の動作を示すシーケンスチャートである。
【図６】本発明の第１の実施の形態の動作を示すシーケンスチャートである。
【図７】本発明の駐車場予約システムの第２の実施の形態の全体構成を示すブロック図である。
【図８】本発明の第２の実施の形態の駐車場機器５と利用者の車両１００の構成を示すブロック図である。
【図９】本発明の第２の実施の形態の駐車場管理情報格納部４１の内容例を示す図である。
【図１０】本発明の第２の実施の形態の動作を示すシーケンスチャートである。
【図１１】本発明の第２の実施の形態の動作を示すシーケンスチャートである。
【符号の説明】
【０１３３】
１０    利用者管理サーバ
１１    利用者情報格納部
２０    駐車場管理サーバ
２１    通信手段
２２    駐車場情報サービス手段
２３    駐車場管理手段
２５    メール発行手段
２６    駐車場管理情報格納部
３０    中継装置
３１    区画機器
３１０    区画コントローラ
３１１    通信部
３１２    制御部
３１３    変換手段
３１４    路側機
３１５    通信回路
３１６    アンテナ
３１７    ロック機構
３１８    ロック板
３１９    出庫ボタン
３２０    駐車センサ
３２    ローカルネットワーク
４０    駐車場管理サーバ
４１    駐車場管理情報格納部
５−１〜５−ｍ    駐車場機器
５１    駐車場端末
５１１    変換手段
５２    入口
５２１    入口ゲート機構
５２２    路側機
５２４    アンテナ
５３    出口
５３１    出口ゲート機構
５３２    路側機
５３４    アンテナ
５４    ルータ
５５    ＬＡＮ
６    利用者端末
６１    ブラウザ
７    利用者携帯端末
７１    ブラウザ
８    携帯電話会社の基地局
９０    クレジット会社管理サーバ
９１    クレジット利用者情報格納部
１００    車両
１０１    車載機
２００    ネットワーク
２０１    無線ネットワーク
【図１】
2008242555.tif 000003
【図２】
2008242555.tif 000004
【図３】
2008242555.tif 000005
【図４】
2008242555.tif 000006
【図５】
2008242555.tif 000007
【図６】
2008242555.tif 000008
【図７】
2008242555.tif 000009
【図８】
2008242555.tif 000010
【図９】
2008242555.tif 000011
【図１０】
2008242555.tif 000012
【図１１】
2008242555.tif 000013